(57)【要約】【課題】  貯蔵効率及び搬送効率が高いバイオマス燃料を提供する。【解決手段】  椰子殻１を加熱等により炭化させ（Ｓ１）、粉砕機等で微粉化することにより（Ｓ２）、固体物２を製造し、この固体物２とパーム油残渣物３とを撹拌混合機等で混合することにより（Ｓ３）、スラリ状のバイオマス燃料４が得られる。【選択図】        図１
2006124515.tif 000002
【特許請求の範囲】
【請求項１】
植物を利用したバイオマス燃料であって、
植物を炭化させた固体物と植物から得られた油分からなる液体物とが混合されたスラリである
ことを特徴とするバイオマス燃料。
【請求項２】
請求項１において、
前記固体物が、植物を炭化させた後に微粉化したものである
ことを特徴とするバイオマス燃料。
【請求項３】
請求項１において、
前記固体物が、空果房を炭化させたものである
ことを特徴とするバイオマス燃料。
【請求項４】
請求項１において、
前記液体物が、植物油の精製残渣である
ことを特徴とするバイオマス燃料。
【発明の詳細な説明】
【技術分野】
【０００１】
本発明は、植物を利用したバイオマス燃料に関する。
【背景技術】
【０００２】
近年、二酸化炭素等の排出量の増加に伴う地球の温暖化現象が問題化している。これは、エネルギ源として石油や石炭等の化石燃料を主に利用していることに起因している。このため、石油や石炭等の化石燃料に代わる各種のエネルギ源が種々検討されている。
【０００３】
このような二酸化炭素等の排出量の増加を抑制できるエネルギ源として、バイオマスから燃料を生成することが注目されている。バイオマス燃料は、一般に、生成量の多い各種の植物を炭化させることにより、エネルギ源等として利用されている。このようなバイオマス燃料をエネルギ源に用いると、生成した二酸化炭素等を植物が消費し、その植物をバイオマス燃料としてエネルギ源に再び利用することができるため、地球規模での二酸化炭素等の増加を大幅に抑制することができる。
【０００４】
【特許文献１】特開平９−１５７６６６号公報
【発明の開示】
【発明が解決しようとする課題】
【０００５】
しかしながら、従来のバイオマス燃料は、粉体物であるため、嵩密度が小さくて、単位容積当たりのエネルギ量が小さく、貯蔵効率が悪いだけでなく、石油等の液体燃料のようにポンプ等で圧送することができず、搬送効率が悪いものであった。このため、発電設備のボイラ等の燃料として使用するには、使い勝手が悪く、実用化することができなかった。
【０００６】
このようなことから、本発明は、貯蔵効率及び搬送効率が高いバイオマス燃料を提供することを目的とする。
【課題を解決するための手段】
【０００７】
前述した課題を解決するための、第一番目の発明に係るバイオマス燃料は、植物を利用したバイオマス燃料であって、植物を炭化させた固体物と植物から得られた油分からなる液体物とが混合されたスラリであることを特徴とする。
【０００８】
第二番目の発明に係るバイオマス燃料は、第一番目の発明において、前記固体物が、植物を炭化させた後に微粉化したものであることを特徴とする。
【０００９】
第三番目の発明に係るバイオマス燃料は、第一番目の発明において、前記固体物が、空果房を炭化させたものであることを特徴とする。
【００１０】
第四番目の発明に係るバイオマス燃料は、第一番目の発明において、前記液体物が、植物油の精製残渣であることを特徴とする。
【発明の効果】
【００１１】
第一番目の発明に係るバイオマス燃料によれば、植物を炭化させた固体物と植物から得られた油分からなる液体物とが混合されたスラリであるので、嵩密度が大きく、単位容積当たりのエネルギ量が高くなり、貯蔵効率を高くすることができると共に、ポンプ等で圧送することができ、搬送効率を高めることができる。
【００１２】
第二番目の発明に係るバイオマス燃料によれば、植物を炭化させた後に微粉化した固体物であるので、容易に微粉化して液体物と効率よく混合させることができ、低コスト化を図ることができる。
【００１３】
第三番目の発明に係るバイオマス燃料によれば、固体物が空果房を炭化させたものであるので、廃棄物を有効に利用することができ、省資源化及び低コスト化を図ることができる。
【００１４】
第四番目の発明に係るバイオマス燃料によれば、液体物が植物油の精製残渣であるので、廃棄物を有効に利用することができ、省資源化及び低コスト化を図ることができる。
【発明を実施するための最良の形態】
【００１５】
本発明に係るバイオマス燃料の実施形態を図１に基づいて以下に説明する。図１は、バイオマス燃料の説明図である。
【００１６】
本実施形態に係るバイオマス燃料は、植物を利用したバイオマス燃料であって、植物を炭化させた固体物と植物から得られた油分からなる液体物とが混合されたスラリである。
【００１７】
ここで、上記固体物が、植物を炭化させた後に微粉化したものであると、容易に微粉化して液体物と効率よく混合させることができ、低コスト化を図ることができるので好ましい。
【００１８】
特に、上記固体物が椰子殻等の空果房（Empty Fruit Bunch：ＥＦＢ）を炭化させたものであると、廃棄物を有効に利用することができ、省資源化及び低コスト化を図ることができるので非常に好ましい。
【００１９】
加えて、上記液体物が植物油（例えばパーム油等）の精製残渣（ステアリン酸等を主成分とするもの）であると、廃棄物を有効に利用することができ、省資源化及び低コスト化を図ることができるので非常に好ましい。
【００２０】
このような本実施形態においては、図１に示すように、椰子殻１を加熱等により炭化させ（Ｓ１）、粉砕機等で微粉化することにより（Ｓ２）、固体物２を製造し、この固体物２とパーム油残渣物３とを撹拌混合機等で混合することにより（Ｓ３）、スラリ状のバイオマス燃料４を製造することができる。
【００２１】
このようにして得られたバイオマス燃料４は、微粉化した固体物２の間隙にパーム油残渣物３が充填されるようになるので、嵩密度が大きくなり、単位容積当たりのエネルギ量を大幅に高めることができ、貯蔵効率を高めることができると共に、流動性を有するようになるので（常温で固化している場合には加熱する）、ポンプ等で圧送することができ、搬送効率を高めることができる。
【００２２】
したがって、本実施形態に係るバイオマス燃料４によれば、省資源化及び低コスト化を図ることができると共に、貯蔵効率及び搬送効率を大幅に向上させることができるので、使い勝手を非常に高めることができ、発電設備のボイラ等の燃料に問題なく利用することができる。
【００２３】
また、親油性を有する炭化した固体物２と油性のパーム油残渣物３とを混合したものなので、相溶性のよい固液体とすることができ、貯蔵効率及び搬送効率のさらなる向上を図ることができる。
【００２４】
また、椰子殻１の生成場所とパーム油残渣物３の生成場所とは、一般に近接しているので、バイオマス燃料４を製造するにあたって、これらの原料１，３の搬送や貯蔵に大掛かりな設備を用意する必要がなく、イニシャルコストも大幅に削減することができる。
【産業上の利用可能性】
【００２５】
本発明に係るバイオマス燃料は、石油や石炭等の化石燃料に代わるエネルギ源となるものであり、産業上、極めて有益に利用することができる。
【図面の簡単な説明】
【００２６】
【図１】本発明に係るバイオマス燃料の実施形態の説明図である。
【符号の説明】
【００２７】
１  椰子殻
２  固体物
３  パーム油残渣物（液体物）
４  バイオマス燃料
Ｓ１  炭化
Ｓ２  微粉化
Ｓ３  混合
【図１】
2006124515.tif 000003